(57)【要約】【課題】  建物からパラペットまで一様に連続している外観を備えることができる笠木を有するパラペット装置を提供する。【解決手段】  少なくとも屋外側面がタイル等の外装材が貼られたパラペット駆体の上端面に取り付けられる笠木を有するパラペット装置において、笠木の屋外側垂下壁の屋外側面にパラペット駆体の外装材と意匠的に同一の外装材を接合し、笠木の外装材をパラペット駆体の外装材と共通の垂直面上に位置させた。【選択図】図１
2009091831.tif 000002
【特許請求の範囲】
【請求項１】
少なくとも屋外側面がタイル等の外装材が貼られたパラペット駆体の上端面に取り付けられる笠木を有するパラペット装置において、
前記笠木の屋外側垂下壁の屋外側面に前記パラペット駆体の外装材と意匠的に同一の外装材を接合し、前記笠木の外装材を前記パラペット駆体の外装材と共通の垂直面上に位置させたことを特徴とするパラペット装置。
【請求項２】
笠木の屋外側垂下壁の下端部にコーキング受け部を形成し、そのコーキング受け部を貫通したねじをパラペット駆体の屋外側面に設けた胴縁に向けてねじ込んでその胴縁を前記パラペット駆体に固着し、前記胴縁に取り付けられて、前記コーキング受け部の下側に隣接する前記パラペット駆体の外装材と前記笠木の外装材との間に前記コーキング受け部を屋外側に開口させ、その開口から前記コーキング受け部にコーキングを充填してあることを特徴とする請求項１に記載のパラペット装置。
【請求項３】
笠木は、上面壁から屋外側垂下壁よりも屋外側に延びる延出部を有し、笠木の外装材の上端面をその延出部で被覆してあることを特徴とする請求項１又は２に記載のパラペット装置。
【発明の詳細な説明】
【技術分野】
【０００１】
本発明は、少なくとも屋外側面がタイル等の外装材が貼られたパラペット駆体の上端面に取り付けられる笠木を有するパラペット装置に関する。
【背景技術】
【０００２】
従来は、パラペット駆体の屋外側面と屋内側面をモルタル仕上げ又はタイル仕上げをし、そのパラペット駆体の頂部にベースアンカを介して笠木を取り付けていた。
【０００３】
従来のパラペット装置を典型的な例について説明すると、パラペット駆体の上端面に短尺のベースアンカをねじ等により固着し、そのベースアンカに短尺の笠木ホルダを上方から嵌合してビス等で固定し、その笠木ホルダの上方から長尺の笠木をそれらのベースアンカ、笠木ホルダ及びパラペット駆体の上部を被覆するように嵌合し、笠木の内外両側の垂下壁の内面に形成してある突起に、笠木ホルダの内外両側の垂下壁の下部に形成してあるテーパー部を乗り越えさせて、その突起をテーパー部の先端に係止させると同時に、笠木を笠木ホルダの上端部に当接させて固定するように構成されている。
そして、笠木の内外両側の垂下壁の下端部に装着してあるフィン状の閉そく部材の先端を、パラペット駆体の内外両側に取り付けられている外装材に密着させて、笠木と外装材の間からパラペット駆体上端面への雨水や風の浸入の防止を図っている。
【０００４】
近年、パラペット駆体の屋外側面と屋内側面に、モルタル仕上げに代えて、建物駆体の外装材と同じ外装材を取付け、例えばタイル仕上げをして、パラペット駆体に建物駆体を上方に延長させたような外観を備えさせることが好まれている。
【特許文献１】特開平８−３２６２４９号公報
【発明の開示】
【発明が解決しようとする課題】
【０００５】
そして、従来のパラペット装置においては、取付後の笠木の内外両側の垂下壁がパラペット駆体の内外の外装材から外側に張り出しているため、パラペット駆体と笠木の垂下壁との間に生じる隙間が下方に露見されてパラペットの外観体裁を損なうため、従来はその隙間を塞ぐため、笠木の内外両側の垂下壁の下端部に上記フィン状の閉そく部材を取付け、外装材に密着させていた。閉そく部材には、その隙間塞ぎの機能のほか、笠木の内外の垂下壁と外装材との間の水密化及び気密化の機能をも兼ねさせていた。
【０００６】
しかしながら、上記閉そく部材は、外装材から外側に張り出している笠木の垂下壁り下端部に取付けられているから、外部からその存在が明白であり、依然としてパラペットの意匠性の向上が臨まれていた。特に、建物駆体の外装材がパラペットまで延長しているような外観を求められる場合は、笠木の屋外側垂下壁は、パラペットの外装材の屋外側面の上端部付近のみを被覆し、その外装材の屋外側面からできるだけ張り出さないことが望まれる。また、上記フィン状の閉そく部材は、耐久性に乏しく、外気圧の急激な変動により変形するため、パラペット駆体内に完全な水密性及び気密性を確保することが困難である。そのため、外の雨水や湿気が笠木の内外の垂下壁と外装材との間からパラペット駆体内に浸入する虞があった。浸入した雨水や湿気は、カビなどの発生原因になるので、外装材を取り付けて、通気路を設けるパラペットにおいては、特に高い水密性及び気密性が要求される。
【０００７】
特に、外装材がタイルの場合は、外観が美麗であるだけに、建物からパラペットの上端部までタイルが一様に連続するように笠木を施工する要望があるが、従来のパラペット装置では、このような要望に応えることはできない。
【０００８】
本発明は、上記の点に鑑みてなされたものであり、解決しようとする課題は、建物からパラペットまで一様に連続する外観を備えることができる笠木を有するパラペット装置を提供することにある。
【課題を解決するための手段】
【０００９】
上記課題を解決するため、本発明は、少なくとも屋外側面がタイル等の外装材が貼られたパラペット駆体の上端面に取り付けられる笠木を有するパラペット装置において、笠木の屋外側垂下壁の屋外側面にパラペット駆体の外装材と意匠的に同一の外装材を接合し、笠木の外装材をパラペット駆体の外装材と共通の垂直面上に位置させたことを特徴としている。
【００１０】
本発明の好ましい例では、笠木の屋外側垂下壁の下端部にコーキング受け部を形成し、そのコーキング受け部を貫通するねじをパラペット駆体の屋外側面に設けた胴縁に向けてねじ込んでその胴縁を前記パラペット駆体に固着し、前記胴縁に取り付けられて、前記コーキング受け部の下側に隣接する前記パラペット駆体の外装材と前記笠木の外装材との間に前記コーキング受け部を屋外側に開口させ、その開口から前記コーキング受け部にコーキングを充填してあることを特徴としている。
【００１１】
また、笠木は、上面壁から屋外側垂下壁よりも屋外側に延びる延出部を有し、笠木の外装材の上端面をその延出部で被覆してあることが望ましい。
【発明の効果】
【００１２】
請求項１の発明によれば、笠木の屋外側垂下壁にパラペット駆体のタイルと同一又は同様のタイルを接合してあり、両方のタイルが共通の垂直面上に存在するので、パラペットはタイルが上端部まで連続している外観を備え、笠木が張り出さないため、屋外側からは目立たない。従って、従来とは顕著に異なる美的外観を有するパラペットを提供することができる。
【００１３】
請求項２の発明によれば、笠木の屋外側垂下壁の下端部に設けたコーキング受け部を貫通させたねじを胴縁にねじ込むので、笠木及び胴縁のパラペットに対する取付強度を大きくすることができ、併せてコーキングにより上下の外装材間に水密性が得られるとともに、ねじの防錆効果も得られる。
【００１４】
請求項３の発明によれば、笠木の延出部により外装材の上端部が飛来物などから保護される。
【発明を実施するための最良の形態】
【００１５】
続いて、本発明の実施の形態について図示された実施例に基づいて説明する。
図１は本実施例に係るパラペット装置の断面図、図２はベースアンカの一例を示す斜視図、図３は笠木本体の端面図、図４は調整笠木の端面図、図５は調整笠木の別の例を示す端面図、図６は別の例の調整笠木の下面を上向きにした斜視図、図７は水密部材の一例及びその取付例を示す要部断面図である。
【００１６】
図１において、１はパラペット駆体であり、そのパラペット駆体１の屋外側面には、横胴縁１１，縦胴縁１２を介して屋外側外装材Ｐ１が、その上端部がパラペット駆体の上端面から若干下がった位置に存在するように取り付けられている。この屋外側外装材Ｐ１は、その屋外側部分にタイルＴが貼られている。また、パラペット駆体１の屋内側面には、同様の横胴縁１１，縦胴縁１２を介して屋内側外装材Ｐ２が、その上端部がパラペット駆体の上端面とほぼ等しい位置に存在するように取り付けられている。屋内側外装材Ｐ２にもタイルが設けられる場合もある。
【００１７】
パラペット駆体１の上端面には、図２に示すようなベースアンカ２が、中間の平坦部２ａにおいてコーチスクリューなどのねじ３により固着されている。ベースアンカの平坦部２ａの両側に設けられた立ち上がり壁２ｂ，２ｂ’の上端部には、高さが異なる笠木支持部２ｃ，２ｃ’が設けられ、高さが高い方（２ｃ’）をパラペット駆体１の上端面の屋外側に位置させて、ベースアンカは取り付けられる。笠木支持部２ｃ，２ｃ’の先端には下向きに傾斜する係止部２ｄ，２ｄ’が形成されている。図２の２ｅはねじ３を貫通する孔である。
【００１８】
ベースアンカ２により固定される笠木４は、本発明の好ましい実施例においては、笠木本体４Ａと、調整笠木４Ｂとに分割して構成され、調整笠木４Ｂを笠木本体４Ａに対してパラペット駆体１の厚さ方向に移動して、笠木４の幅を任意に調整可能としてある。以下に、詳述する。
【００１９】
笠木本体４Ａは、図３に抽出して示すように、パラペット駆体１の上端面の幅よりも大きい幅を有する上面壁４１と、その上面壁の屋内側端部から垂下する屋内側垂下壁４２と、上面壁の屋外側端部に設けらた連結部４３とを一体に有していて、図３の紙面に直角な方向に連続している。好ましい実施例では、屋内側垂下壁４２の下端部にフィン状の防水部材を装着するためのビスホール状のあり溝４４が形成されている。また、好ましい実施例では、上面壁４１の下面の屋内側垂下壁４２から所定距離だけ屋外側に隔てた位置に、ベースアンカ２の屋内側係止部２ｄの下側に係止される被係止片４５が形成されている。さらに、好ましい実施例では、その被係止片４５に一体に、後述される水密部材を嵌着するためのビスホール状のあり溝４６が形成されている。あり溝４６は被係止片４５と別の位置に設けても良い。
【００２０】
連結部４３は、上面壁４１を屋外方向に延長した上板４３ａと、その上板４３ａの下方にこれと平行な下板４３ｂとを有し、その間に屋外方向に開口する嵌合溝４３ｃが形成してあり、上、下板４３ａ，４３ｂの対向面に鋸歯状の係止面４３ｄが形成されている。
【００２１】
そして、好ましい実施例では、下板４３ｂの屋内側端部に被係止片４５と対向して突出する被係止片４７が形成されている。
【００２２】
調整笠木４Ｂは、笠木本体４Ａの上面壁４１の屋外側部分を被覆してこれに当接される上面壁４９と、その上面壁の屋外側端部から垂下する屋外側垂下壁４１０と、その屋外側垂下壁の屋内側面の所定位置に設けられた被連結部４１１とを有している。好ましい例では、上面壁４９を屋外側垂下壁４１０よりも屋外方向に延長させてなる延出部４９ａが付加されている。
【００２３】
被連結部４１１は、屋内方向に平行に延びて、若干の弾力性を備えた上下の板４１１ａ，４１１ｂを有し、各板の先端にそれぞれ上向き及び下向きの爪からなる係止部４１１ａ’，４１１ｂ’が形成されている。
【００２４】
被連結部４１１は、図４に示すように、調整笠木４Ｂと一体に成形されても良いが、図５に示すように、後述される理由から、調整笠木４Ｂとは別体に上下板４１１ａ，４１１ｂと脚部４１１ｃ，４１１ｄを有する被連結部４１１を成形して、これを短尺に切断したものを図６に示すように、調整笠木４Ｂの屋外側垂下壁４１０の屋内側面に成形したあり溝４１２に調整笠木４Ｂの長手方向に適宜の間隔を置いて嵌着することが望ましい。
【００２５】
調整笠木４Ｂには、屋外側垂下壁４１０の下端部をＬ字形に屈曲してコーキング受け部４１３が設けられている。このコーキング受け部４１３は、単に充填されるコーキングを受け止めるだけでなく、調整笠木４Ｂの下端部ををパラペット駆体１に固定するためにも用いられる。
【００２６】
そして、調整笠木４Ｂの屋外側垂下壁４１０の屋外側面には、タイルＴ’がその背面において接着してある。タイルＴ’はその上面が調整笠木４Ｂの延出部４９ａにより被覆され、密着されている。延出部４９ａにも接着してもよい。タイルＴ’の下端部は調整笠木４Ｂのコーキング受け部４１３を塞がないように、その上で終止している。
【００２７】
続いて、上記のように構成された本実施例の笠木４を、パラペット駆体１に取り付ける場合の手順について説明する。笠木４を取り付ける前に、笠木本体４Ａの下面の屋内側のあり溝４６に、図７に一部を示すように、下方に突出する水密部材５が嵌着される。この水密部材５は、あり溝４６の断面形状と補完的な形状を有する突条５１を有する硬質の基部５２の、突条５１と反対側の面に中空又は中実の弾性材料からなる当接部５３を接合してなるものである。また、笠木本体４Ａの屋内側垂下壁４２のあり溝４４にフィン状の防水部材６（図１参照）を嵌着する。この防水部材６は、笠木４が取り付けられた状態で、その防水部材６の先端が屋内側外装材５ａの屋内側面に密着することができる幅を有するものが用いられる。
【００２８】
次に、調整笠木４Ｂを笠木本体４Ａの屋外側端部の所定位置に位置合わせをし、調整笠木の被連結部４１１を笠木本体４Ａの連結部４３の嵌合溝４３ｃに向けて接近し、暫定的に所定位置まで移動して、被連結部４１１を嵌合溝４３ｃの中に押入し、その嵌合溝の適当な深さにおいて、係止部４１１ａ’，４１１ｂ’を嵌合溝の上下板の係止面４３ｄに係止させる。暫定的に嵌合する所定位置は、パラペット駆体１ａの厚さに応じて決定される。
【００２９】
この被連結部４１１の連結部４３に対する嵌合の際に、被連結部４１１が調整笠木Ｂの全長に沿って連続する場合は、係止部４１１ａ’，４１１ｂ’と係止面４３ｄとの摩擦が過大になり、調整笠木を笠木本体にして所要の位置まで移動させることが困難になる。これに対して、被連結部４１１を短尺物に形成した場合は、容易に所定の位置まで移動させることができるとともに、使用される被連結部４１１の全長が短くなるので、材料削減効果が得られる。
【００３０】
上述のように、笠木本体４Ａに調整笠木４Ｂを暫定的に連結した状態の笠木４を、ベースアンカ２の上方から降下されて、内外の垂下壁４２，４１０の下端部を屋内側外装材Ｐ１の上端部の屋内側及び屋外側横胴縁１１の屋外側に位置させ、笠木本体４Ａの内外の係止部４５，４７がベースアンカ２の内外の係止部２ｄ，２ｄ’のテーパー面に当接させ、そのまま強く押し下げて、ベースアンカ２の内外の係止部２ｄ，２ｄ’を弾性変形させ、笠木本体の内外の係止部４５，４７にそれらの係止部２ｄ，２ｄ’を乗り越えさせて、弾性復帰により係合させる。これと同時に、水密部材６は、屋内側外装材Ｐ２の頂面に密着される。そして、最後に、調整笠木４Ｂに屋内方向の力を加えて、移動させると、調整笠木４Ｂのコーキング受け部４１３の屋内側端部が横胴縁の屋外側面に密着する。
【００３１】
一方、コーキング受け部４１３の屋内側端部は屋外側胴縁１１の屋外側面に当接され、かつ、先端は屋外側外装材Ｐ１の上端面に当接している。従って、そのコーキング受け部４１３の底壁に設けてある孔（図示せず）からコーチスクリューなどのねじ９をねじ込んで、コーキング受け部４１３、すなわち、調整笠木４Ｂをパラペット駆体１に堅固に固定する。これにより、笠木４はパラペット駆体１の上端部に確実に固定される。
【００３２】
本発明によるパラペット装置においては、外装材の厚さが異なる場合にも、同一構成の笠木４を用いて、調整笠木４Ｂの笠木本体４Ａに対する連結位置、あるいは嵌合深さを調整するだけで、各種の厚さの外装材に対応することができる。
【００３３】
そして、笠木４を取り付けた後、パラペット駆体１のタイルＴの上端部と笠木４のタイルＴ’の下端部との間からコーキング受け部４１３にコーキング１０を充填する。これにより、上下のタイル間の目地が塞がれて水密性が確保されるとともに、ねじ９の発錆を防ぐことができる。
【００３４】
以上の実施例は、パラペットの屋外側の外装材としてタイルを用いる場合のものであるが、外装材はタイルに限らず、他の種類の外装材であってもよい。
【図面の簡単な説明】
【００３５】
【図１】本発明の実施例に係るパラペット装置の断面図。
【図２】ベースアンカの一例を示す斜視図。
【図３】笠木本体の端面図。
【図４】調整笠木の端面図。
【図５】調整笠木の別の例を示す分解端面図。
【図６】調整笠木の下面を上向きにした状態の斜視図。
【図７】水密部材の一例及びその取付例を示す要部断面図。
【符号の説明】
【００３６】
１      パラペット駆体
２      ベースアンカ
４      笠木
４Ａ    笠木本体
４２    屋内側垂下壁
４Ｂ    調整笠木
４１０  屋外側垂下壁
Ｔ’    タイル  
Ｐ１，Ｐ２  外装材
Ｔ      タイル
【図１】
2009091831.tif 000003
【図２】
2009091831.tif 000004
【図３】
2009091831.tif 000005
【図４】
2009091831.tif 000006
【図５】
2009091831.tif 000007
【図６】
2009091831.tif 000008
【図７】
2009091831.tif 000009